(57)【要約】    【課題】      精度の良い伝搬路環境の情報を用いて送信レートを設定することにより、パケットデータの誤り率を低減するとともに再送回数を低減して回線の利用効率を向上させること。    【解決手段】  アンテナ位相決定部１０３は、移動機より通知されたＦＢＩビットに基づいてダイバーシチアンテナ１１０−２から送信する送信信号の位相回転量を決定する。送信レート決定部１０６は、実際に移動機にて通知した位相回転量とアンテナ位相決定部１０３にて決定した位相回転量との誤差を示すＦＢＩビット誤り率情報の誤り率としきい値との比較結果、及び移動機との伝搬路環境を示すＣＱＩに基づいて送信レートを決定する。  【選択図】      図１
2005260634.tif 000002
【特許請求の範囲】
【請求項１】
送信信号の位相を回転させるために端末装置より通知される位相回転量の情報である位相回転量情報及び前記端末装置との伝搬路環境の情報である伝搬路環境情報を受信する受信手段と、
前記位相回転量情報の位相回転量にて送信信号の位相を回転させるアンテナ位相回転手段と、
実際に前記端末装置が通知した前記位相回転量と前記アンテナ位相回転手段にて回転させた位相回転量との誤差の情報及び前記伝搬路環境情報に基づいて送信レートを決定する送信レート決定手段と、
前記送信レート決定手段にて決定された送信レートにて前記端末装置に送信データを送信する送信手段と、
を具備することを特徴とする基地局装置。
【請求項２】
前記送信レート決定手段は、前記伝搬路環境が良好なほど高い前記送信レートを決定するとともに、前記誤差がしきい値以上の場合には前記誤差が前記しきい値未満の場合に比べて低い前記送信レートを決定することを特徴とする請求項１記載の基地局装置。
【請求項３】
前記送信レート決定手段は、既知信号より求めた前記伝搬路環境を示す報告値の統計分布の中央値と、前記誤差が検出された場合に前記報告値を補正した後の前記報告値の統計分布の中央値との差分の情報、及び補正前の前記報告値に基づいて前記送信レートを決定することを特徴とする請求項１記載の基地局装置。
【請求項４】
前記送信レート決定手段は、前記伝搬路環境が良好なほど高い前記送信レートを決定するとともに、前記差分がしきい値以上の場合には前記差分が前記しきい値未満の場合に比べて低い前記送信レートを決定することを特徴とする請求項３記載の基地局装置。
【請求項５】
前記受信手段にて受信した既知信号における信号電力と雑音電力との電力比を測定する電力比測定手段と、
前記電力比測定手段にて測定された前記電力比に基づいて前記誤差を推定する誤差推定手段とを具備し、
前記送信レート決定手段は、前記誤差推定手段にて推定された前記誤差の情報及び前記伝搬路環境情報に基づいて送信レートを決定することを特徴とする請求項１から請求項４のいずれかに記載の基地局装置。
【請求項６】
前記誤差推定手段は、前記電力比測定手段にて測定された前記電力比の情報を用いて、前記既知信号における信号電力と雑音電力との電力比と、前記端末装置が前記位相回転量情報を通知する通知信号の信号電力と雑音電力との電力比とを関係付けた電力比選択情報を参照して前記通知信号の前記電力比を選択し、
前記送信レート決定手段は、前記誤差の情報である前記誤差推定手段にて選択された前記通知信号の前記電力比の情報における電力比がしきい値未満の場合には、前記電力比が前記しきい値以上の場合に比べて低い前記送信レートを決定することを特徴とする請求項５記載の基地局装置。
【請求項７】
基地局装置が送信信号を送信する際の前記送信信号の位相の回転量を前記基地局装置に通知する位相回転量通知手段と、
前記位相回転量通知手段にて通知して前記基地局装置にて設定された位相回転量を受信信号より推定するアンテナ回転位相推定手段と、
前記位相回転量通知手段にて通知した前記位相回転量と前記アンテナ回転位相推定手段にて推定された前記位相回転量との誤差の情報より前記位相回転量情報が誤って伝わったことを検出する誤差検出手段と、
前記誤差検出手段にて検出された前記誤差に基づいて前記基地局装置との伝搬路環境を推定する伝搬路環境推定手段と、
前記伝搬路環境推定手段にて推定された前記伝搬路環境の情報である伝搬路環境情報を前記基地局装置へ送信する送信手段と、
を具備することを特徴とする端末装置。
【請求項８】
前記伝搬路環境推定手段は、前記誤差がしきい値以上の場合には前記誤差が前記しきい値未満の場合に比べて伝搬路環境が劣化しているものと推定することを特徴とする請求項７記載の端末装置。
【請求項９】
基地局装置から端末装置へ送信される送信信号の位相を回転させるための位相回転量の情報である位相回転量情報を前記端末装置から前記基地局装置へ通知するステップと、
前記基地局装置と前記端末装置との伝搬路環境の情報である伝搬路環境情報を前記端末装置から前記基地局装置へ送信するステップと、
前記基地局装置にて前記位相回転量情報の位相回転量にて送信信号の位相を回転させるステップと、
実際に前記端末装置が通知した前記位相回転量と前記基地局装置から送信する前記送信信号の位相の回転量との誤差の情報及び前記伝搬路環境情報に基づいて前記基地局装置から前記端末装置へ送信する送信信号の送信レートを決定するステップと、
を具備することを特徴とする送信レート決定方法。
【請求項１０】
前記伝搬路環境が良好なほど高い前記送信レートを決定するとともに、前記誤差がしきい値以上の場合には前記誤差が前記しきい値未満の場合に比べて低い前記送信レートを決定することを特徴とする請求項９記載の送信レート決定方法。
【請求項１１】
既知信号より求めた前記伝搬路環境を示す報告値の統計分布の中央値と、前記誤差が検出された場合に前記報告値を補正した後の前記報告値の統計分布の中央値との差分の情報、及び補正前の前記報告値に基づいて前記送信レートを決定することを特徴とする請求項９または請求項１０記載の送信レート決定方法。
【請求項１２】
前記伝搬路環境が良好なほど高い前記送信レートを決定するとともに、前記差分がしきい値以上の場合には前記差分が前記しきい値未満の場合に比べて低い前記送信レートを決定することを特徴とする請求項１１記載の送信レート決定方法。
【請求項１３】
受信した既知信号における信号電力と雑音電力との電力比を測定するステップと、
測定された前記電力比に基づいて前記誤差を推定するステップとを具備し、
推定された前記誤差の情報及び前記伝搬路環境情報に基づいて送信レートを決定することを特徴とする請求項９から請求項１２のいずれかに記載の送信レート決定方法。
【請求項１４】
測定された前記電力比の情報を用いて、前記既知信号における信号電力と雑音電力との電力比と、前記端末装置が前記位相回転量情報を通知する通知信号の信号電力と雑音電力との電力比とを関係付けた電力比選択情報を参照して前記通知信号の前記電力比を選択し、
前記誤差の情報である選択された前記通知信号の前記電力比の情報における電力比がしきい値未満の場合には、前記電力比が前記しきい値以上の場合に比べて低い前記送信レートを決定することを特徴とする請求項１３記載の送信レート決定方法。
【請求項１５】
基地局装置が端末装置へ送信信号を送信する際の前記送信信号の位相の回転量を前記端末装置から前記基地局装置に通知するステップと、
前記回転量が通知された前記基地局装置にて設定された位相回転量を前記端末装置にて推定するステップと、
前記基地局装置に通知した前記位相回転量と推定された前記位相回転量との誤差を検出するステップと、
検出された前記誤差に基づいて前記端末装置と前記基地局装置との伝搬路環境を推定するステップと、
推定された前記伝搬路環境の情報である伝搬路環境情報を前記端末装置から前記基地局装置へ送信するステップと、
前記伝搬路環境情報に基づいて前記基地局装置から前記端末装置へ送信する送信信号の送信レートを決定するステップと、
を具備することを特徴とする送信レート決定方法。
【発明の詳細な説明】
【技術分野】
【０００１】
本発明は、例えばＨＳＤＰＡ（High Speed Downlink Packet Access）等の高速パケット通信を行う基地局装置及び端末装置に関する。
【背景技術】
【０００２】
ＨＳＤＰＡのような高速パケット通信に使用される適用変調方式においては、移動機がおかれている伝搬路環境をＣＱＩ（Channel Quality Indicator）等の報告値にて基地局装置に報告する必要がある。この報告値の精度は、例えば報告したＣＱＩに相当する送信レートにて送信を行った場合に、ＢＬＥＲ（BLock Error Rate）が１０％以下となる最大のＣＱＩを報告することになっている。移動機は、例えば既知信号の信号電力と干渉電力を含む雑音電力との比（以下「ＳＮＲ」と記載する）を測定し、測定結果よりＢＬＥＲが１０％以下になると思われる報告値を選択する。
【０００３】
一方、基地局装置からのパケット伝送には、送信ダイバーシチＣＬ１が適用される場合がある（例えば、特許文献１）。送信ダイバーシチＣＬ１では、基地局装置の２つのアンテナから送信される送信信号の合成ベクトルが、移動機受信アンテナ端で最大になるように上りコマンド（以下「ＦＢＩ」と記載する）を移動機が送信し、基地局装置は移動機から送信されたＦＢＩに応じてアンテナより送信されるＨＳＰＤＳＣＨ（High Speed Physical Downlink Shared Channel）の位相を制御する。移動機は、基地局装置の２本のアンテナから送信された既知信号の信号ベクトルに対して、以前に送信したＦＢＩが反映された場合に生成される合成ベクトルに基づいてＣＱＩを選択する。
【０００４】
次に、合成ベクトルに基づいてＣＱＩを求める方法について、図１４を用いて説明する。図１４は、基地局装置の各アンテナから送信されたＣＰＩＣＨの受信ベクトルを合成してＣＱＩを求める方法を示す図である。基地局装置の２本のアンテナの内の何れか一方のアンテナから送信されたＣＰＩＣＨの信号のベクトルＶ１と他方のアンテナから送信されたＣＰＩＣＨの信号のベクトルＶ２とが図１４の位置関係である場合において、移動機はＦＢＩより位相回転量を求めて、求めた位相回転量だけベクトルＶ２を回転させてベクトルＶ３を求める。さらに、移動機はベクトルＶ１とベクトルＶ３とを合成して合成ベクトルＶ４を求める。そして、移動機は求めた合成ベクトルＶ４のＳＮＲに基づいてＣＱＩを選択する。
【特許文献１】特開２００２−１６５３２号公報
【発明の開示】
【発明が解決しようとする課題】
【０００５】
しかしながら、従来の基地局装置及び端末装置においては、移動機は上りのＦＢＩが正しく基地局装置に伝えられたものと見なして合成ベクトルを生成するが、実際には上りのＦＢＩに誤りが生じる場合もあるため、予想される位相回転量とは異なる回転量でベクトルが回転されることにより誤った合成ベクトルを生成してしまう可能性がある。例えば、図１４に示すように、本来ならベクトルＶ２をベクトルＶ３まで回転させるものが、ＦＢＩビットが誤って基地局装置に伝えられることにより、ベクトルＶ２はベクトルＶ１０までしか回転しない場合には、ベクトルＶ１とベクトルＶ１０とを合成したベクトルは合成ベクトルＶ１１になる。ＦＢＩが誤ることにより移動機の指示と異なる回転量にてベクトルが回転された場合には、ＦＢＩが正しく伝えられた場合に比べて合成ベクトルの大きさは小さくなる。
【０００６】
一方、移動機はＦＢＩビットが誤りなく基地局装置に伝えられることを前提にＣＱＩを選択するため、合成ベクトルＶ４の場合のＣＱＩを選択して基地局装置へ報告する。そして、基地局装置は、移動機から報告されたＣＱＩに基づいて、合成ベクトルＶ４である場合の送信レートを設定するが、ＦＢＩビットが誤って基地局装置に報告された場合には誤った位相回転量にて送信信号を送信するので、移動機が受信した受信信号のベクトルを合成しても実際は合成ベクトルＶ１１にしかならず、結果的に移動機は、基地局装置にて設定されたレートにて受信するために必要となるＳＮＲを達成することができず、移動機がパケットデータを誤って受信してしまうことによりパケットの誤り率を低減することができないという問題がある。
【０００７】
この現象については、ＴＳＧＲ４−０３０７５７に記載されているように、ＣＱＩ報告値の精度試験を上り誤り率が０％でない場合に行った時の結果から見ることができる。この試験は、ＣＱＩの精度を試験する手段としてＴＳ２５．１０１．９．３．２に記載されるように、基地局シュミレータが移動機の報告してくるＣＱＩ値に関係なく固定のＣＱＩ値に相当する変調方式、符号化率及びトランスポートブロックサイズにてパケットデータを送信し続け、ＰＥＲ（Packet Error Rate）とスループットを測定する方法である。この試験によれば、移動機が報告したＣＱＩと基地局シュミレータが送信するＣＱＩが一致した場合のＰＥＲの値からその精度を調査することができる。即ち、あらゆる環境において移動機が精度の良いＣＱＩを選択している場合には、基地局シュミレータの送信する固定のＣＱＩ値の値によらず、そのＣＱＩ値と同じＣＱＩ値を報告したときのＰＥＲは一定の値をとることになる。
【０００８】
図１５は、上記に記載の試験方法を用いて、ＣＱＩ＝８に相当する送信レートでパケットを送り続けた場合に、移動機が報告したＣＱＩ値に対するＢＬＥＲの関係を示す図である。図１５より、報告値が８を越えるものについては、本来、無線品質がＣＱＩ＝８に相当するＳＮ比以上であることから、ＢＬＥＲは非常に小さくなるはずであるが、上り誤りが存在する場合には、６％〜７％のところでＢＬＥＲは横ばいになっている。即ち、ＣＱＩが１３または１４といった非常に高い報告を行っているにもかかわらず、ＣＱＩ＝８に相当するＳＮ比すら達成できない場合があり、その分だけ再送確率が高くなって回線の利用効率が低下するという問題がある。
【０００９】
本発明はかかる点に鑑みてなされたものであり、精度の良い伝搬路環境の情報を用いて送信レートを設定することにより、パケットデータの誤り率を低減することができるとともに再送回数を低減して回線の利用効率を向上させることができる基地局装置及び端末装置を提供することを目的とする。
【課題を解決するための手段】
【００１０】
本発明の基地局装置は、送信信号の位相を回転させるために端末装置より通知される位相回転量の情報である位相回転量情報及び前記端末装置との伝搬路環境の情報である伝搬路環境情報を受信する受信手段と、前記位相回転量情報の位相回転量にて送信信号の位相を回転させるアンテナ位相回転手段と、実際に前記端末装置が通知した前記位相回転量と前記アンテナ位相回転手段にて回転させた位相回転量との誤差の情報及び前記伝搬路環境情報に基づいて送信レートを決定する送信レート決定手段と、前記送信レート決定手段にて決定された送信レートにて前記端末装置に送信データを送信する送信手段と、を具備する構成を採る。
【００１１】
この構成によれば、実際に端末装置が基地局装置に通知した位相回転量と、基地局装置から送信される送信信号の位相回転量との誤差の情報、及び伝搬路環境情報に基づいて送信レートを決定することにより、精度の良い伝搬路環境の情報を用いて送信レートを設定することができるので、パケットデータの誤り率を低減することができるとともに再送回数を低減して回線の利用効率を向上させることができる。
【００１２】
本発明の基地局装置は、前記構成において、前記送信レート決定手段は、前記伝搬路環境が良好なほど高い前記送信レートを決定するとともに、前記誤差がしきい値以上の場合には前記誤差が前記しきい値未満の場合に比べて低い前記送信レートを決定する構成を採る。
【００１３】
この構成によれば、前記効果に加えて、誤差がしきい値以上の場合には誤差がしきい値未満の場合に比べて低い送信レートを決定するので、誤差がしきい値以上の場合に誤って高い送信レートを決定してしまうことを防ぐことができる。
【００１４】
本発明の基地局装置は、前記構成において、前記送信レート決定手段は、既知信号より求めた前記伝搬路環境を示す報告値の統計分布の中央値と、前記誤差が検出された場合に前記報告値を補正した後の前記報告値の統計分布の中央値との差分の情報、及び補正前の前記報告値に基づいて前記送信レートを決定する構成を採る。
【００１５】
この構成によれば、前記効果に加えて、統計分布に基づいて送信レートを決定することができるので、一時的に位相回転量の誤差が大きくなった場合でかつ低い送信レートにする必要がない場合において、必要以上に低い送信レートを決定してしまうことを防ぐことができる。
【００１６】
本発明の基地局装置は、前記構成において、前記送信レート決定手段は、前記伝搬路環境が良好なほど高い前記送信レートを決定するとともに、前記差分がしきい値以上の場合には前記差分が前記しきい値未満の場合に比べて低い前記送信レートを決定する構成を採る。
【００１７】
この構成によれば、前記効果に加えて、差分がしきい値以上の場合には差分がしきい値未満の場合に比べて低い送信レートを決定するので、差分がしきい値以上の場合に誤って高い送信レートを決定してしまうことを防ぐことができる。
【００１８】
本発明の基地局装置は、前記構成において、前記受信手段にて受信した既知信号における信号電力と雑音電力との電力比を測定する電力比測定手段と、前記電力比測定手段にて測定された前記電力比に基づいて前記誤差を推定する誤差推定手段とを具備し、前記送信レート決定手段は、前記誤差推定手段にて推定された前記誤差の情報及び前記伝搬路環境情報に基づいて送信レートを決定する構成を採る。
【００１９】
この構成によれば、前記効果に加えて、基地局装置にて誤差を推定し、端末装置は従来と同一構成の装置を用いることができるので、システム全体に要するコストを低減することができる。
【００２０】
本発明の基地局装置は、前記構成において、前記誤差推定手段は、前記電力比測定手段にて測定された前記電力比の情報を用いて、前記既知信号における信号電力と雑音電力との電力比と、前記端末装置が前記位相回転量情報を通知する通知信号の信号電力と雑音電力との電力比とを関係付けた電力比選択情報を参照して前記通知信号の前記電力比を選択し、前記送信レート決定手段は、前記誤差の情報である前記誤差推定手段にて選択された前記通知信号の前記電力比の情報における電力比がしきい値未満の場合には、前記電力比が前記しきい値以上の場合に比べて低い前記送信レートを決定する構成を採る。
【００２１】
この構成によれば、前記効果に加えて、受信した既知信号の信号電力と雑音電力との電力比より位相回転量の誤差を求めることより、端末装置から誤差の情報を送信してもらう必要がないので、無線回線の利用効率を向上させることができる。
【００２２】
本発明の端末装置は、基地局装置が送信信号を送信する際の前記送信信号の位相の回転量を前記基地局装置に通知する位相回転量通知手段と、前記位相回転量通知手段にて通知して前記基地局装置にて設定された位相回転量を受信信号より推定するアンテナ回転位相推定手段と、前記位相回転量通知手段にて通知した前記位相回転量と前記アンテナ回転位相推定手段にて推定された前記位相回転量との誤差の情報より前記位相回転量情報が誤って伝わったことを検出する誤差検出手段と、前記誤差検出手段にて検出された前記誤差に基づいて前記基地局装置との伝搬路環境を推定する伝搬路環境推定手段と、前記伝搬路環境推定手段にて推定された前記伝搬路環境の情報である伝搬路環境情報を前記基地局装置へ送信する送信手段と、を具備する構成を採る。
【００２３】
この構成によれば、実際に端末装置が基地局装置に通知した位相回転量と、基地局装置から送信される送信信号の位相回転量との誤差の情報より推定した伝搬路環境の伝搬路環境情報に基づいて、基地局装置にて送信レートを決定することができるので、パケットデータの誤り率を低減することができるとともに再送回数を低減して回線の利用効率を向上させることができる。
【００２４】
本発明の端末装置は、前記構成において、前記伝搬路環境推定手段は、前記誤差がしきい値以上の場合には前記誤差が前記しきい値未満の場合に比べて伝搬路環境が劣化しているものと推定する構成を採る。
【００２５】
この構成によれば、前記効果に加えて、誤差がしきい値以上の場合には誤差がしきい値未満の場合に比べて伝搬路環境が劣化したものと推定して基地局装置へ報告するので、誤差がしきい値以上の場合に基地局装置にて誤って高い送信レートを決定してしまうことを防ぐことができる。
【００２６】
本発明の送信レート決定方法は、基地局装置から端末装置へ送信される送信信号の位相を回転させるための位相回転量の情報である位相回転量情報を前記端末装置から前記基地局装置へ通知するステップと、前記基地局装置と前記端末装置との伝搬路環境の情報である伝搬路環境情報を前記端末装置から前記基地局装置へ送信するステップと、前記基地局装置にて前記位相回転量情報の位相回転量にて送信信号の位相を回転させるステップと、実際に前記端末装置が通知した前記位相回転量と前記基地局装置から送信する前記送信信号の位相の回転量との誤差の情報及び前記伝搬路環境情報に基づいて前記基地局装置から前記端末装置へ送信する送信信号の送信レートを決定するステップと、を具備するようにした。
【００２７】
この方法によれば、実際に端末装置が基地局装置に通知した位相回転量と、基地局装置から送信される送信信号の位相回転量との誤差の情報、及び伝搬路環境情報に基づいて送信レートを決定することにより、精度の良い伝搬路環境の情報を用いて送信レートを設定することができるので、パケットデータの誤り率を低減することができるとともに再送回数を低減して回線の利用効率を向上させることができる。
【００２８】
本発明の送信レート決定方法は、前記方法において、前記伝搬路環境が良好なほど高い前記送信レートを決定するとともに、前記誤差がしきい値以上の場合には前記誤差が前記しきい値未満の場合に比べて低い前記送信レートを決定するようにした。
【００２９】
この方法によれば、前記効果に加えて、誤差がしきい値以上の場合には誤差がしきい値未満の場合に比べて低い送信レートを決定するので、誤差がしきい値以上の場合に誤って高い送信レートを決定してしまうことを防ぐことができる。
【００３０】
本発明の送信レート決定方法は、前記方法において、既知信号より求めた前記伝搬路環境を示す報告値の統計分布の中央値と、前記誤差が検出された場合に前記報告値を補正した後の前記報告値の統計分布の中央値との差分の情報、及び補正前の前記報告値に基づいて前記送信レートを決定するようにした。
【００３１】
この方法によれば、前記効果に加えて、統計分布に基づいて送信レートを決定することができるので、一時的に位相回転量の誤差が大きくなった場合でかつ低い送信レートにする必要がない場合において、必要以上に低い送信レートを決定してしまうことを防ぐことができる。
【００３２】
本発明の送信レート決定方法は、前記方法において、前記伝搬路環境が良好なほど高い前記送信レートを決定するとともに、前記差分がしきい値以上の場合には前記差分が前記しきい値未満の場合に比べて低い前記送信レートを決定するようにした。
【００３３】
この方法によれば、前記効果に加えて、差分がしきい値以上の場合には差分がしきい値未満の場合に比べて低い送信レートを決定するので、差分がしきい値以上の場合に誤って高い送信レートを決定してしまうことを防ぐことができる。
【００３４】
本発明の送信レート決定方法は、前記方法において、受信した既知信号における信号電力と雑音電力との電力比を測定するステップと、測定された前記電力比に基づいて前記誤差を推定するステップとを具備し、推定された前記誤差の情報及び前記伝搬路環境情報に基づいて送信レートを決定するようにした。
【００３５】
この方法によれば、前記効果に加えて、基地局装置にて誤差を推定し、端末装置は従来と同一構成の装置を用いることができるので、システム全体に要するコストを低減することができる。
【００３６】
本発明の送信レート決定方法は、前記方法において、測定された前記電力比の情報を用いて、前記既知信号における信号電力と雑音電力との電力比と、前記端末装置が前記位相回転量情報を通知する通知信号の信号電力と雑音電力との電力比とを関係付けた電力比選択情報を参照して前記通知信号の前記電力比を選択し、前記誤差の情報である選択された前記通知信号の前記電力比の情報における電力比がしきい値未満の場合には、前記電力比が前記しきい値以上の場合に比べて低い前記送信レートを決定するようにした。
【００３７】
この方法によれば、前記効果に加えて、受信した既知信号の信号電力と雑音電力との電力比より位相回転量の誤差を求めることより、端末装置から誤差の情報を送信してもらう必要がないので、無線回線の利用効率を向上させることができる。
【００３８】
本発明の送信レート決定方法は、基地局装置が端末装置へ送信信号を送信する際の前記送信信号の位相の回転量を前記端末装置から前記基地局装置に通知するステップと、前記回転量が通知され前記基地局装置にて設定された位相回転量を前記端末装置にて推定するステップと、前記基地局装置に通知した前記位相回転量と推定された前記位相回転量との誤差を検出するステップと、検出された前記誤差に基づいて前記端末装置と前記基地局装置との伝搬路環境を推定するステップと、推定された前記伝搬路環境の情報である伝搬路環境情報を前記端末装置から前記基地局装置へ送信するステップと、前記伝搬路環境情報に基づいて前記基地局装置から前記端末装置へ送信する送信信号の送信レートを決定するステップと、を具備するようにした。
【００３９】
この方法によれば、実際に端末装置が基地局装置に通知した位相回転量と、基地局装置から送信される送信信号の位相回転量との誤差の情報より推定した伝搬路環境の伝搬路環境情報に基づいて、基地局装置にて送信レートを決定することができるので、パケットデータの誤り率を低減することができるとともに再送回数を低減して回線の利用効率を向上させることができる。
【発明の効果】
【００４０】
本発明によれば、正しい伝搬路環境の報告値を用いて送信レートを設定することにより、パケットデータの誤り率を低減することができるとともに回線の利用効率を向上させることができる。
【発明を実施するための最良の形態】
【００４１】
本発明の骨子は、実際に端末装置が通知した位相回転量（ＦＢＩビット）と基地局装置が送信信号を送信する時に回転させた位相回転量との誤差の情報（ＦＢＩビットの誤り率の情報）及び端末装置との伝搬路環境の情報である伝搬路環境情報（ＣＱＩ）に基づいて送信レートを決定し、決定した送信レートにて端末装置にパケットデータを送信することである。
【００４２】
以下、本発明の実施の形態について、図面を参照して詳細に説明する。
【００４３】
（実施の形態１）
図１は、本発明の実施の形態１に係る基地局装置１００の構成を示すブロック図である。
【００４４】
受信部１０１は、受信信号を無線周波数からベースバンド周波数にダウンコンバートしてＦＢＩビット抽出部１０２、ＦＢＩビット誤り率情報抽出部１０４及びＣＱＩ抽出部１０５へ出力する。
【００４５】
ＦＢＩビット抽出部１０２は、受信部１０１から入力した受信信号より位相回転量情報であるＦＢＩビットを抽出してアンテナ位相決定部１０３へ出力する。
【００４６】
アンテナ位相決定部１０３は、ＦＢＩビット抽出部１０２から入力したＦＢＩビットより、アンテナ１１０−２から送信されるデータチャネルにおける送信信号の位相の回転量を決定して、決定した位相の回転量の情報である位相回転量情報を送信部１０９へ出力する。
【００４７】
ＦＢＩビット誤り率情報抽出部１０４は、受信部１０１から入力した受信信号よりＦＢＩビットの誤り率の情報であるＦＢＩビット誤り率情報を抽出して送信レート決定部１０６へ出力する。
【００４８】
ＣＱＩ抽出部１０５は、受信部１０１から入力した受信信号より伝搬路環境情報であるＣＱＩを抽出して送信レート決定部１０６へ出力する。
【００４９】
送信レート決定部１０６は、ＦＢＩビット誤り率情報抽出部１０４から入力したＦＢＩビット誤り率情報の誤り率としきい値との比較結果、及びＣＱＩ抽出部１０５から入力したＣＱＩに基づいて送信レートを決定する。そして、送信レート決定部１０６は、決定した送信レートの情報である送信レート情報を送信パケット生成部１０７へ出力する。なお、送信レート決定部１０６の構成の詳細については後述する。
【００５０】
送信パケット生成部１０７は、送信レート決定部１０６から入力した送信レート情報の送信レートにて送信されるように送信パケットデータを生成して送信部１０９へ出力する。
【００５１】
既知信号生成部１０８は、基地局装置１００と後述する移動局装置との間で既知の信号であるＣＰＩＣＨ１信号及びＣＰＩＣＨ２信号を生成して送信部１０９へ出力する。
【００５２】
送信部１０９は、既知信号生成部１０８から入力したＣＰＩＣＨ１信号及びＣＰＩＣＨ２信号をベースバンド周波数から無線周波数にアップコンバートして、ＣＰＩＣＨ１信号をダイバーシチアンテナ１１０−１より送信するとともに、ＣＰＩＣＨ２信号をダイバーシチアンテナ１１０−２から送信する。また、送信部１０９は、送信パケット生成部１０７から入力した送信パケットデータをアンテナ位相決定部１０３から入力した位相情報の位相回転量にて位相を回転させ、ベースバンド周波数から無線周波数にアップコンバートして、ダイバーシチアンテナ１１０−１、１１０−２から送信する。なお、ＣＰＩＣＨ１信号、ＣＰＩＣＨ２信号及びアンテナ１１０−１から送信される送信パケットはアンテナ位相決定部１０３にて決定した位相の回転は行わずに送信し、送信パケット生成部１０７から入力した送信パケットデータの内アンテナ１１０−２から送信される送信パケットはアンテナ位相決定部１０３にて決定した位相の回転で送信する。
【００５３】
次に、端末装置である移動局装置２００の構成について図２を用いて説明する。図２は、移動局装置２００の構成を示すブロック図である。
【００５４】
受信部２０１は、図示しないアンテナにて受信した受信信号を無線周波数からベースバンド周波数にダウンコンバートして既知信号復調部２０２及びデータ信号復調部２０８へ出力する。
【００５５】
既知信号復調部２０２は、受信部２０１から入力した受信信号よりＣＰＩＣＨ１信号及びＣＰＩＣＨ２信号を復調して信号電力雑音電力測定部２０５及びチャネル推定値算出部２０３へ出力する。
【００５６】
チャネル推定値算出部２０３は、既知信号復調部２０２から入力したＣＰＩＣＨ１信号及びＣＰＩＣＨ２信号の各々についてチャネル推定値を求めて、求めたチャネル推定値の情報であるチャネル推定値情報をＦＢＩビット生成部２０４及びアンテナ回転位相推定部２１０へ出力する。
【００５７】
ＦＢＩビット生成部２０４は、チャネル推定値算出部２０３から入力したチャネル推定値情報より、ＣＰＩＣＨ１信号とＣＰＩＣＨ２信号との位相が同じ位相に近づくようにＣＰＩＣＨ２信号の位相回転量を基地局装置へ通知するためのＦＢＩビットを生成して、生成したＦＢＩビットをＣＱＩ値選択部２０６、ＦＢＩビット誤り率推定部２１１及び送信部２１３へ出力する。
【００５８】
信号電力雑音電力測定部２０５は、既知信号復調部２０２から入力したＣＰＩＣＨ１信号及びＣＰＩＣＨ２信号におけるそれぞれの信号電力と雑音電力を測定して、ＣＱＩ値選択部２０６へ出力する。
【００５９】
ＣＱＩ値選択部２０６は、信号電力雑音電力測定部２０５から入力した信号電力と雑音電力情報とＦＢＩビット生成部２０４から入力したＦＢＩビットとに基づいてＣＱＩを選択する。そして、ＣＱＩ値選択部２０６は、選択したＣＱＩをＣＱＩ値報告部２０７へ出力する。なお、ＣＱＩを選択する方法については後述する。
【００６０】
ＣＱＩ値報告部２０７は、ＣＱＩ値選択部２０６から入力したＣＱＩを報告するためのデータを生成して送信部２１３へ出力する。
【００６１】
データ信号復調部２０８は、受信部２０１から入力した受信信号よりデータ信号を復調してチャネル推定値算出部２０９へ出力する。
【００６２】
チャネル推定値算出部２０９は、データ信号復調部２０８から入力した受信信号のＤＬ−ＤＰＣＨに含まれるパイロットビットよりチャネル推定値を算出する。そして、チャネル推定値算出部２０９は、算出したチャネル推定値をチャネル推定値情報としてアンテナ回転位相推定部２１０へ出力する。
【００６３】
アンテナ回転位相推定部２１０は、チャネル推定値算出部２０３から入力したチャネル推定値情報及びチャネル推定値算出部２０９から入力したチャネル推定値情報よりＣＰＩＣＨ２信号のベクトルを求めて受信したＣＰＩＣＨ２信号の位相を求めるとともに、ＤＬ−ＤＰＣＨに含まれるパイロットビットからＤＬ−ＤＰＣＨのベクトルを求めて受信したＤＬ−ＤＰＣＨの位相を求める。そして、アンテナ回転位相推定部２１０は、求めたＣＰＩＣＨ２信号の位相回転量とＤＬ−ＤＰＣＨの位相回転量との差より実際に基地局装置にて回転された位相回転量を求めて、求めた位相回転量の情報である位相回転量情報をＦＢＩビット誤り率推定部２１１及び同期検波部２１４へ出力する。
【００６４】
ＦＢＩビット誤り率推定部２１１は、アンテナ回転位相推定部２１０から入力した位相回転量情報及びＦＢＩビット生成部２０４から入力したＦＢＩビットより、アンテナ回転位相推定部２１０から入力した位相回転量情報の位相回転量が以前基地局装置に送信したＦＢＩビットが反映された場合に加わる回転量であるか否かを判定して、上り回線のＦＢＩビットの誤り率を推定する。そして、ＦＢＩビット誤り率推定部２１１は、推定した誤り率の情報である誤り率情報をＦＢＩビット誤り報告部２１２へ出力する。
【００６５】
ＦＢＩビット誤り報告部２１２は、ＦＢＩビット誤り率推定部２１１から入力した誤り率情報を基地局装置へ報告するデータとして生成して送信部２１３へ出力する。
【００６６】
送信部２１３は、ＣＱＩ値報告部２０７から入力したＣＱＩを含む送信信号をベースバンド周波数から無線周波数にアップコンバートして図示しないアンテナより送信する。また、送信部２１３は、ＦＢＩビット生成部２０４から入力したＦＢＩビットを含む送信信号をベースバンド周波数から無線周波数にアップコンバートして図示しないアンテナより送信する。また、送信部２１３は、ＦＢＩビット誤り報告部２１２から入力したＦＢＩビットの誤り率情報を含む送信信号をベースバンド周波数から無線周波数にアップコンバートして図示しないアンテナより送信する。
【００６７】
同期検波部２１４は、アンテナ回転位相推定部２１０から入力した位相回転量情報に基づいて同期検波して復号部２１５へ出力する。
【００６８】
復号部２１５は、同期検波部２１４から入力した同期検波後の受信信号を復号して受信データを得る。
【００６９】
次に、送信レート決定部１０６の構成の詳細について、図３を用いて説明する。図３は、送信レート決定部１０６の構成を示すブロック図である。
【００７０】
指示部３０１は、ＦＢＩビット誤り率情報抽出部１０４から入力したＦＢＩビット誤り率情報の誤り率としきい値とを比較して、誤り率がしきい値以上の場合にのみ制御信号を送信レート選択部３０３へ出力する。
【００７１】
記憶部３０２は、ＣＱＩと変調方式とを関係付けた送信レート選択用情報を保存したテーブルを記憶している。
【００７２】
送信レート選択部３０３は、指示部３０１から制御信号が入力しない場合において、ＣＱＩ抽出部１０５から入力したＣＱＩを用いて記憶部３０２に記憶されている送信レート選択用情報を参照して送信レートを選択し、選択した送信レートの送信レート情報を送信パケット生成部１０７へ出力する。また、送信レート選択部３０３は、指示部３０１から制御信号が入力した場合には、ＣＱＩ抽出部１０５から入力したＣＱＩより１ランク伝搬路環境が劣化した場合のＣＱＩを選択し、選択したＣＱＩを用いて記憶部３０２に記憶されている送信レート選択用情報を参照して送信レートを選択し、選択した送信レートの送信レート情報を送信パケット生成部１０７へ出力する。
【００７３】
次に、基地局装置１００及び移動局装置２００の動作について説明する。
【００７４】
最初に、基地局装置１００は、既知信号生成部１０８にて生成したＣＰＩＣＨ１信号をダイバーシチアンテナ１１０−１より送信するとともにＣＰＩＣＨ２信号をダイバーシチアンテナ１１０−２より送信する。この時、ＣＰＩＣＨ１信号及びＣＰＩＣＨ２信号は、いずれも位相を回転させずに送信される。また、基地局装置１００は、送信パケットデータ生成部１０７にて生成したＤＬ  ＨＳ−ＰＤＳＣＨの送信パケットデータを位相を回転させずに固定の位相にてダイバーシチアンテナ１１０−１より送信するとともに、ＦＢＩビットにて移動機２００より指示された回転量にて位相を回転してダイバーシチアンテナ１１０−２より送信する。なお、移動機２００からＦＢＩビットが通知されていない初期の段階においては、あらかじめ基地局装置１００に設定されているＦＢＩビットの初期値にて位相を回転させてダイバーシチアンテナ１１０−２より送信する。
【００７５】
次に、ＣＰＩＣＨ１信号及びＣＰＩＣＨ２信号を受信した移動機２００は、チャネル推定値算出部２０３にてＣＰＩＣＨ１信号及びＣＰＩＣＨ２信号のチャネル推定値を求め、求めたチャネル推定値よりＦＢＩビット生成部２０４にて位相回転量を求める。そして、図４に示すように、移動機２００は、求めた位相回転量をＵＬ  ＤＰＣＣＨにてＦＢＩビット＃４０１ａとして基地局装置１００に通知する。例えば、ＦＢＩビット生成部２０４は、ＣＰＩＣＨ１信号及びＣＰＩＣＨ２信号のチャネル推定値より、ＣＰＩＣＨ１信号のベクトルＶ１及びＣＰＩＣＨ２信号のベクトルＶ２が図１４の関係にあることを求めた場合において、最大の合成ベクトルＶ４が得られるベクトルＶ１と合成するベクトルＶ３を求め、ＣＰＩＣＨ２信号のベクトルＶ２をベクトルＶ３まで回転させるための位相回転量をＦＢＩビットとして生成して基地局装置１００に通知する。
【００７６】
また、ＣＰＩＣＨ１信号及びＣＰＩＣＨ２信号を受信した移動機２００は、ＣＰＩＣＨ１信号及びＣＰＩＣＨ２信号より信号電力雑音電力測定部２０５にて各々の信号電力及び雑音電力を測定し、基地局装置１００に報告したＦＢＩビット＃４０１ａに基づいてＳＮＲを求め、ＣＱＩ値選択部２０６にてＣＱＩを選択して基地局装置１００へ報告する。例えば、ＣＱＩ値選択部２０６は、図５に示すようなＳＮＲとＣＱＩとを関係付けたＣＱＩ選択用情報を記憶しており、信号電力雑音電力測定部２０５にて求めたＣＰＩＣＨ１信号及びＣＰＩＣＨ２信号の信号電力及び雑音電力より、ＣＰＩＣＨ１信号のベクトルＶ１とＣＰＩＣＨ２信号をＦＢＩビットにて基地局装置１００へ通知した回転量だけ位相を回転させたベクトルＶ３との合成ベクトルＶ４におけるＳＮＲを求めて、求めたベクトルＶ４におけるＳＮＲを用いてＣＱＩ選択用情報を参照してＣＱＩを選択する。ここで、図５に示すように、ＣＱＩ＝１はＳＮＲが−３．６ｄＢ〜−２．７ｄＢの場合に選択され、ＣＱＩ＝２はＳＮＲが−２．７ｄＢ〜−１．５ｄＢの場合に選択され、ＣＱＩ＝３はＳＮＲが−１．５ｄＢ〜−０．３ｄＢの場合に選択され、ＣＱＩ＝４はＳＮＲが−０．３ｄＢ〜０．６ｄＢの場合に選択され、ＣＱＩ＝５はＳＮＲが０．６ｄＢ〜１．６ｄＢの場合に選択される。
【００７７】
さらに、ＣＰＩＣＨ１信号、ＣＰＩＣＨ２信号及びＦＢＩビット＃４０１ａが反映されたＤＬ  ＤＰＣＨのスロット＃４０２におけるパケットデータを受信した移動機２００は、チャネル推定値算出部２０３にて推定したＣＰＩＣＨ１信号及びＣＰＩＣＨ２信号のチャネル推定値と、チャネル推定値算出部２０９にてＤＬ  ＨＳ−ＰＤＳＣＨの区間＃４０２のパイロットビット４０４ｂより推定したチャネル推定値とに基づいて、アンテナ回転位相推定部２１０にてＣＰＩＣＨ２信号のベクトルより求めたＣＰＩＣＨ２信号の位相回転量と、ＤＬ  ＨＳ−ＰＤＳＣＨの区間＃４０２のパイロットビット４０４ｂより求めたＤＬ  ＨＳ−ＰＤＳＣＨの位相回転量との差分より、実際に基地局装置１００のダイバーシチアンテナ１１０−２にて回転された位相回転量を推定する。ここで、パイロットビット４０４ｂは、ＦＢＩビット＃４０１ａが反映されたものである。例えば、図１４に示すように、本来はＦＢＩビット＃４０１ａの通知により基地局装置１００にてベクトルＶ２がベクトルＶ３まで位相が回転されるはずが、ベクトルＶ２がベクトルＶ１０までしか位相が回転されていない場合には、アンテナ回転位相推定部２１０にてＣＰＩＣＨ２信号はベクトルＶ２がベクトルＶ１０まで回転されて基地局装置１００のダイバーシチアンテナ１１０−２から送信されたものと推定する。
【００７８】
図４に示すように、ＤＬ  ＣＰＩＣＨ、ＤＬ  ＨＳ−ＰＤＳＣＨは同一のスロットタイミングで送信されるが、ＤＬ  ＤＰＣＨは２５６ｃｈｉｐの整数倍ずれたタイミングで送信される。また、移動機２００が送信するＦＢＩが反映されるタイミングは、図４においては、ＦＢＩビット＃４０１ａは、ＤＬ  ＤＰＣＨの区間＃４０２のパイロットビット４０４ｂより反映された場合の例を示している。また、ＦＢＩビット＃４０１ａがＨＳ−ＰＤＳＣＨに反映されるタイミングは、ＤＬ  ＤＰＣＨでＦＢＩビット＃４０１ａが反映されるタイミングであるパイロットビット４０４ｂ直後のＨＳ−ＰＤＳＣＨのスロット＃４０５より反映される。なお、ＦＢＩビットが反映されるタイミングは、図４の場合に限らず、図４以外の任意のタイミングにすることができる。
【００７９】
ダイバーシチアンテナ１１０−２の位相回転量を推定した移動機２００は、ＦＢＩビット生成部２０４にて生成し基地局装置１００に通知したＦＢＩビット＃４０４ａと、アンテナ回転位相推定部２１０にて推定した実際に基地局装置のダイバーシチアンテナ１１０−２にて回転された位相回転量に該当するＦＢＩビットとを比較する。そして、移動機２００は、基地局装置１００に通知したＦＢＩビット＃４０４ａの位相回転量と、基地局装置１００のダイバーシチアンテナ１１０−２にて回転された位相回転量に該当するＦＢＩビットの位相回転量との誤差を誤り率としてＦＢＩビット誤り率推定部２１１にて求めて、求めたＦＢＩの誤り率をＦＢＩの誤り率情報として基地局装置１００に通知する。
【００８０】
次に、ＦＢＩビット＃４０１ａを受信した基地局装置１００は、ＣＰＩＣＨ１信号及びＣＰＩＣＨ２信号の位相を回転させずにＣＰＩＣＨ１信号をダイバーシチアンテナ１１０−１から送信するとともに、ＣＰＩＣＨ２信号をダイバーシチアンテナ１１０−２から送信し、ＤＬ  ＤＰＣＨのデータとＤＬ  ＨＳ−ＰＤＳＣＨのパケットデータを位相を回転させずにダイバーシチアンテナ１１０−１から送信するとともに、ＤＬ  ＤＰＣＨのデータとＤＬ  ＨＳ−ＰＤＳＣＨのパケットデータをＦＢＩビット＃４０１ａにて通知された位相回転量にて位相を回転させてダイバーシチアンテナ１１０−２から送信する。
【００８１】
また、ＦＢＩビットの誤り率情報を受信した基地局装置１００は、送信レート決定部１０６にて移動機２００から報告されたＣＱＩとＦＢＩビット誤り率情報とに基づいて送信レートを決定する。例えば、送信レート決定部１０６は、図６に示すような送信レート選択用情報を保存したテーブルを記憶しており、移動機２００よりＣＱＩ＝１６が報告された場合には、ＣＱＩ＝１６を用いて送信レート選択用情報を参照することにより変調方式を選択する。この時、ＦＢＩビット誤り率情報の誤り率がしきい値以上の場合には、送信レート決定部１０６は、伝搬路環境が劣化する方へＣＱＩのレベルを１ランク下げてＣＱＩ＝１５を選択し、選択したＣＱＩ＝１５を用いて送信レート選択用情報を参照することにより変調方式としてＱＰＳＫを選択する。また、ＦＢＩビット誤り率情報の誤り率がしきい値未満の場合には、送信レート決定部１０６は、ＣＱＩのレベルを変更せずにＣＱＩ＝１６を用いて送信レート選択用情報を参照することにより変調方式としてＱＰＳＫを選択する。そして、基地局装置１００は、送信パケット生成部１０７にて選択した変調方式にて送信パケットデータを変調して、ダイバーシチアンテナ１１０−１、１１０−２より送信する。
【００８２】
このように、本実施の形態１によれば、移動機から通知されたＦＢＩビットの誤り率情報とＣＱＩとに基づいて送信レートを選択するので、パケットデータの誤り率を低減することができるとともに回線の利用効率を向上させることができる。
【００８３】
（実施の形態２）
図７は、本発明の実施の形態２に係る基地局装置７００の構成を示すブロック図である。
【００８４】
本実施の形態２に係る基地局装置７００は、図１に示す実施の形態１に係る基地局装置１００において、図７に示すように、ＦＢＩビット誤り率情報抽出部１０４を除き、パイロット信号電力対雑音電力測定部７０１及びＦＢＩビット誤り率推定部７０２を追加し、送信レート決定部１０６の代わりに送信レート決定部７０３を有する。なお、図７においては、図１と同一構成である部分には同一の符号を付してその説明は省略する。
【００８５】
受信部１０１は、受信信号を無線周波数からベースバンド周波数にダウンコンバートしてＦＢＩビット抽出部１０２、パイロット信号電力対雑音電力測定部７０１及びＣＱＩ抽出部１０５へ出力する。
【００８６】
電力比測定手段であるパイロット信号電力対雑音電力測定部７０１は、受信部１０１から入力した上り既知信号であるパイロット信号より信号電力と雑音電力とのＳＮＲを測定して、測手結果をＳＮＲ情報としてＦＢＩビット誤り率推定部７０２へ出力する。
【００８７】
誤差推定手段であるＦＢＩビット誤り率推定部７０２は、パイロット信号電力対雑音電力測定部７０１から入力したＳＮＲ情報より、パイロットビットとＦＢＩビットとの拡散率の差分またはパワーオフセット等によりＦＢＩビットのＳＮＲを推定し、推定したＳＮＲの情報である推定ＳＮＲ情報を送信レート決定部７０３へ出力する。
【００８８】
送信レート決定部７０３は、ＦＢＩビット誤り率推定部７０２から入力した推定ＳＮＲ情報のＳＮＲと図示しないしきい値との比較結果、及びＣＱＩ抽出部１０５から入力したＣＱＩに基づいて送信レートを決定する。そして、送信レート決定部７０３は、決定した送信レートの情報である送信レート情報を送信パケット生成部１０７へ出力する。
【００８９】
送信レート決定部７０３において、指示部３０１は、ＦＢＩビット誤り率推定部７０２から入力した推定ＳＮＲ情報のＳＮＲとしきい値とを比較して、ＳＮＲがしきい値未満の場合には制御信号を送信レート選択部３０３へ出力する。なお、送信レート決定部７０３におけるその他の構成は、図３と同一構成であるので、その説明は省略する。
【００９０】
次に、移動機８００の構成について、図８を用いて説明する。図８は、移動機８００の構成を示すブロック図である。
【００９１】
本実施の形態２に係る移動機８００は、図２に示す実施の形態１に係る移動機２００において、図８に示すように、ＦＢＩビット誤り率推定部２１１及びＦＢＩビット誤り報告部２１２を除く。なお、図８においては、図２と同一構成である部分には同一の符号を付してその説明は省略する。
【００９２】
送信部２１３は、ＣＱＩ値報告部２０７から入力したＣＱＩを含む送信信号をベースバンド周波数から無線周波数にアップコンバートして図示しないアンテナより送信する。また、送信部２１３は、ＦＢＩビット生成部２０４から入力したＦＢＩビットを含む送信信号をベースバンド周波数から無線周波数にアップコンバートして図示しないアンテナより送信する。
【００９３】
次に、基地局装置７００及び移動機８００の動作について、説明する。最初に、基地局装置７００は、既知信号生成部１０８にて生成したＣＰＩＣＨ１信号をダイバーシチアンテナ１１０−１より送信するとともにＣＰＩＣＨ２信号をダイバーシチアンテナ１１０−２より送信する。この時、ＣＰＩＣＨ１信号及びＣＰＩＣＨ２信号は、いずれも位相を回転させずに送信される。また、基地局装置７００は、送信パケットデータ生成部１０７にて生成したＤＬ  ＨＳ−ＰＤＳＣＨの送信パケットデータを位相を回転させずに固定の位相にてダイバーシチアンテナ１１０−１より送信するとともに、ＦＢＩビットにて移動機８００より指示された回転量にて位相を回転してダイバーシチアンテナ１１０−２より送信する。なお、移動機８００からＦＢＩビットが通知されていない初期の段階においては、あらかじめ基地局装置１００に設定されているＦＢＩビットの初期値にて位相を回転させてダイバーシチアンテナ１１０−２より送信する。
【００９４】
次に、ＣＰＩＣＨ１信号及びＣＰＩＣＨ２信号を受信した移動機８００は、チャネル推定値算出部２０３にてＣＰＩＣＨ１信号及びＣＰＩＣＨ２信号のチャネル推定値を求め、求めたチャネル推定値よりＦＢＩビット生成部２０４にて位相回転量を求め、求めた位相回転量から決定したＦＢＩビット＃４０１ａを基地局装置７００に通知する。例えば、ＦＢＩビット生成部２０４は、ＣＰＩＣＨ１信号及びＣＰＩＣＨ２信号のチャネル推定値より、ＣＰＩＣＨ１信号のベクトルＶ１及びＣＰＩＣＨ２信号のベクトルＶ２が図１４の関係にあることを求めた場合において、最大の合成ベクトルＶ４が得られるベクトルＶ１と合成するベクトルＶ３を求め、ＣＰＩＣＨ２信号のベクトルＶ２をベクトルＶ３まで回転させるための位相回転量をＦＢＩビット＃４０１ａとして生成して基地局装置７００に通知する。
【００９５】
また、ＣＰＩＣＨ１信号及びＣＰＩＣＨ２信号を受信した移動機８００は、ＣＰＩＣＨ１信号及びＣＰＩＣＨ２信号より信号電力雑音電力測定部２０５にて各々の信号電力及び雑音電力を測定し、基地局装置７００に報告したＦＢＩビットに基づいてＳＮＲを求め、求めたＳＮＲに基づいてＣＱＩ値選択部２０６にてＣＱＩを選択して基地局装置７００へ報告する。例えば、ＣＱＩ値選択部２０６は、図５に示すようなＳＮＲとＣＱＩとを関係付けたＣＱＩ選択用情報を記憶しており、信号電力雑音電力測定部２０５にて求めたＣＰＩＣＨ１信号及びＣＰＩＣＨ２信号の信号電力と雑音電力より、ＣＰＩＣＨ１信号のベクトルＶ１とＣＰＩＣＨ２信号をＦＢＩビットにて基地局装置７００へ通知した回転量だけ位相を回転させたベクトルＶ３との合成ベクトルＶ４におけるＳＮＲを求めて、求めたベクトルＶ４におけるＳＮＲを用いてＣＱＩ選択用情報を参照してＣＱＩを選択する。
【００９６】
次に、ＦＢＩビット＃４０１ａを受信した基地局装置７００は、ＣＰＩＣＨ１信号及びＣＰＩＣＨ２信号の位相を回転させずにＣＰＩＣＨ１信号をダイバーシチアンテナ１１０−１から送信するとともに、ＣＰＩＣＨ２信号をダイバーシチアンテナ１１０−２から送信し、ＤＬ  ＤＰＣＨのデータとＤＬ  ＨＳ−ＰＤＳＣＨのスロット＃４０５におけるパケットデータを、位相を回転させずにダイバーシチアンテナ１１０−１から送信するとともに、ＦＢＩビット＃４０１ａにて通知された位相回転量にて位相を回転させてダイバーシチアンテナ１１０−２から送信する。
【００９７】
また、基地局装置７００は、パイロット信号電力対雑音電力測定部７０１にてパイロット信号よりＳＮＲを求める。ＦＢＩビット誤り率推定部７０２は、パイロット信号におけるＳＮＲとＦＢＩビット＃４０１ａにおけるＳＮＲとを関係付けた電力比選択情報を記憶しており、パイロット信号電力対雑音電力測定部７０１にて求めたパイロット信号のＳＮＲを用いてＦＢＩビット＃４０１ａのＳＮＲを選択する。ここで求められたＦＢＩビット＃４０１ａのＳＮＲは、ＦＢＩビット＃４０１ａの誤り率を示すものである。即ち、移動機８００より送信されるＦＢＩビット＃４０１ａの信号電力は例えば上位局より通知されることにより既知であるため、送信時のＦＢＩビット＃４０１ａの信号電力とパイロットビットの信号電力の差が、ＦＢＩビット誤り率推定部７０２にて求めたパイロットビットのＳＮＲの差分となり、ＦＢＩビット＃４０１ａの誤り率を求めることが可能となる。
【００９８】
そして、基地局装置７００は、送信レート決定部７０３にて移動機８００から報告されたＣＱＩ、及びＦＢＩビット＃４０１ａのＳＮＲとしきい値との比較結果に基づいて送信レートを決定する。例えば、送信レート決定部７０３は、図６に示すような送信レート選択用情報を保存したテーブルを記憶しており、移動機８００よりＣＱＩ＝１６が報告された場合には、ＣＱＩ＝１６を用いて送信レート選択用情報を参照することにより変調方式を選択する。この時、ＦＢＩビットのＳＮＲがしきい値未満の場合には、送信レート決定部７０３は、伝搬路環境が劣化する方へＣＱＩのレベルを１ランク下げてＣＱＩ＝１５を選択し、選択したＣＱＩ＝１５を用いて送信レート選択用情報を参照することにより変調方式としてＱＰＳＫを選択する。また、ＦＢＩビットのＳＮＲがしきい値以上の場合には、送信レート決定部７０３は、ＣＱＩのレベルを変更せずにＣＱＩ＝１６を用いて送信レート選択用情報を参照することにより変調方式としてＱＰＳＫを選択する。そして、基地局装置７００は、送信パケット生成部１０７にて選択した変調方式にて送信パケットデータを変調して、ダイバーシチアンテナ１１０−１、１１０−２より送信する。
【００９９】
このように、本実施の形態２によれば、上記実施の形態１の効果に加えて、基地局装置にてＦＢＩビットの誤り率を推定するので、移動機は従来と同一構成の装置を用いることができるので、システム全体に要するコストを低減することができる。また、本実施の形態２によれば、移動機からＦＢＩビットの誤り率推定の情報を送信してもらう必要がないので、無線回線の利用効率を向上させることができる。
【０１００】
（実施の形態３）
図９は、本発明の実施の形態３に係る基地局装置９００の構成を示すブロック図である。
【０１０１】
本実施の形態３に係る基地局装置９００は、図１に示す実施の形態１に係る基地局装置１００において、図９に示すように、ＦＢＩビット誤り率情報抽出部１０４を除く。なお、図９においては、図１と同一構成である部分には同一の符号を付してその説明は省略する。
【０１０２】
受信部１０１は、受信信号を無線周波数からベースバンド周波数にダウンコンバートしてＦＢＩビット抽出部１０２及びＣＱＩ抽出部１０５へ出力する。
【０１０３】
送信レート決定部１０６は、ＣＱＩ抽出部１０５から入力したＣＱＩに基づいて送信レートを決定する。そして、送信レート決定部１０６は、決定した送信レートの情報である送信レート情報を送信パケット生成部１０７へ出力する。なお、送信レート決定部１０６の構成は、図３において指示部３０１を除く以外は同一構成であるので、その説明は省略する。
【０１０４】
次に、移動機１０００の構成について、図１０を用いて説明する。図１０は、移動機１０００の構成を示すブロック図である。
【０１０５】
本実施の形態３に係る移動機１０００は、図２に示す実施の形態１に係る移動機２００において、図１０に示すように、ＦＢＩビット誤り率推定部２１１及びＦＢＩビット誤り報告部２１２を除き、ＦＢＩビット誤り検出部１００１を追加し、ＣＱＩ値選択部２０６の代わりにＣＱＩ値選択部１００２を有する。なお、図１０においては、図２と同一構成である部分には同一の符号を付してその説明は省略する。
【０１０６】
信号電力雑音電力測定部２０５は、既知信号復調部２０２から入力したＣＰＩＣＨ１信号及びＣＰＩＣＨ２信号における各々の信号電力と雑音電力を測定して、ＣＱＩ値選択部１００２へ出力する。
【０１０７】
アンテナ回転位相推定部２１０は、チャネル推定値算出部２０３から入力したチャネル推定値情報及びチャネル推定値算出部２０９から入力したチャネル推定値情報よりＣＰＩＣＨ２信号のベクトルを求めるとともに、ＤＬ−ＤＰＣＨに含まれるパイロットビットからＣＰＩＣＨ２信号の位相回転量を算出し、算出した位相回転量の情報である位相回転量情報を同期検波部２１４及びＦＢＩビット誤り検出部１００１へ出力する。
【０１０８】
誤差検出手段であるＦＢＩビット誤り検出部１００１は、アンテナ回転位相推定部２１０から入力した位相回転量情報及びＦＢＩビット生成部２０４から入力したＦＢＩビットより、アンテナ回転位相推定部２１０から入力した位相回転量情報の位相回転量が以前基地局装置に送信したＦＢＩビットが反映された場合に加わる回転量であるか否かを判定して、アンテナ回転位相推定部２１０から入力した位相回転量情報の位相回転量が以前基地局装置に送信したＦＢＩビットが反映された場合に加わる回転量ではない場合には、ＦＢＩビットに誤りがあったことをＣＱＩ値選択部１００２へ通知する。
【０１０９】
伝搬路環境推定手段であるＣＱＩ値選択部１００２は、信号電力雑音電力測定部２０５から入力した信号電力の情報、雑音電力の情報、及びＦＢＩビット生成部２０４から入力したＦＢＩビット及びＦＢＩビット誤り検出部１００１から入力したＦＢＩビットに誤りがある旨の通知に基づいてＣＱＩを選択する。そして、ＣＱＩ値選択部１００２は、選択したＣＱＩをＣＱＩ値報告部２０７へ出力する。なお、ＣＱＩを選択する方法については後述する。
【０１１０】
次に、基地局装置９００及び移動機１０００の動作について説明する。最初に、基地局装置９００は、既知信号生成部１０８にて生成したＣＰＩＣＨ１信号をダイバーシチアンテナ１１０−１より送信するとともにＣＰＩＣＨ２信号をダイバーシチアンテナ１１０−２より送信する。この時、ＣＰＩＣＨ１信号及びＣＰＩＣＨ２信号は、いずれも位相を回転させずに送信される。また、基地局装置９００は、送信パケット生成部１０７にて生成したＤＬ  ＨＳ−ＰＤＳＣＨの送信パケットデータを位相を回転させずに固定の位相にてダイバーシチアンテナ１１０−１より送信するとともに、ＦＢＩビットにて移動機１０００より指示された回転量にて位相を回転してダイバーシチアンテナ１１０−２より送信する。なお、移動機１０００からＦＢＩビットが通知されていない初期の段階においては、あらかじめ基地局装置９００に設定されているＦＢＩビットの初期値にて位相を回転させてダイバーシチアンテナ１１０−２より送信する。
【０１１１】
次に、ＣＰＩＣＨ１信号及びＣＰＩＣＨ２信号を受信した移動機１０００は、チャネル推定値算出部２０３にてＣＰＩＣＨ１信号及びＣＰＩＣＨ２信号のチャネル推定値を求め、求めたチャネル推定値よりＦＢＩビット生成部２０４にて位相回転量を求め、求めた位相回転量より決定したＦＢＩビット＃４０１ａを基地局装置９００に通知する。例えば、ＦＢＩビット生成部２０４は、ＣＰＩＣＨ１信号及びＣＰＩＣＨ２信号のチャネル推定値より、ＣＰＩＣＨ１信号のベクトルＶ１及びＣＰＩＣＨ２信号のベクトルＶ２が図１４の関係にあることを求めた場合において、最大の合成ベクトルＶ４が得られるベクトルＶ１と合成するベクトルＶ３を求め、ＣＰＩＣＨ２信号のベクトルＶ２をベクトルＶ３まで回転させるための位相回転量をＦＢＩビット＃４０１ａとして生成して基地局装置９００に通知する。
【０１１２】
さらに、ＣＰＩＣＨ１信号、ＣＰＩＣＨ２信号及びＦＢＩビット＃４０１ａが反映されたＤＬ  ＤＰＣＨの区間＃４０２におけるデータを受信した移動機１０００は、チャネル推定値算出部２０３にて推定したＣＰＩＣＨ１信号及びＣＰＩＣＨ２信号のチャネル推定値と、チャネル推定値算出部２０９にてＤＬ  ＨＳ−ＰＤＳＣＨのパイロットビット４０４ｂより推定したチャネル推定値とに基づいて、アンテナ回転位相推定部２１０にてＣＰＩＣＨ２信号のチャネル推定値と、ＤＬ  ＤＰＣＨのパイロットビット４０４ｂより求めたチャネル推定値との差分より、実際に基地局装置９００のダイバーシチアンテナ１１０−２にて回転された位相回転量を推定する。例えば、図１４に示すように、本来はＦＢＩビット＃４０１ａの通知により基地局装置９００にてベクトルＶ２がベクトルＶ３まで位相が回転されるはずが、ベクトルＶ２がベクトルＶ１０までしか位相が回転されていない場合には、アンテナ回転位相推定部２１０にてアンテナ１１０−２から送信されたＤＬ  ＤＰＣＨの信号またはＤＬ  ＨＳ−ＤＰＣＨの信号は、ベクトルＶ２がベクトルＶ１０まで回転されて基地局装置９００のダイバーシチアンテナ１１０−２から送信されたものと推定する。
【０１１３】
ダイバーシチアンテナ１１０−２の位相回転量を推定した移動機１０００は、ＦＢＩビット生成部２０４にて生成したＦＢＩビット＃４０４ａを用いて基地局装置９００に通知した位相回転量を示すＦＢＩビット＃４０１ａと、アンテナ回転位相推定部２１０にて推定した実際に基地局装置のダイバーシチアンテナ１１０−２にて回転された位相回転量に該当するＦＢＩビットが異なるかどうかの誤りをＦＢＩビット誤り検出部１００１にて検出する。
【０１１４】
次に、移動機１０００は、ＣＰＩＣＨ１信号及びＣＰＩＣＨ２信号より信号電力雑音電力測定部２０５にて各々の信号電力及び雑音電力を求めて、基地局装置９００に報告したＦＢＩビット＃４０１ａ及びＦＢＩビット誤り検出部１００１にて検出されたＦＢＩビット＃４０１ａの誤りに基づいて、ＣＱＩ値選択部１００２にてＣＱＩを選択して基地局装置９００へ報告する。例えば、ＣＱＩ値選択部１００２は、図５に示すようなＳＮＲとＣＱＩとを関係付けたＣＱＩ選択用情報を記憶しており、信号電力雑音電力測定部２０５にて求めたＣＰＩＣＨ１信号及びＣＰＩＣＨ２信号の信号電力と雑音電力より、ＦＢＩビット＃４０１ａにて基地局装置９００へ通知した回転量が正しく伝わったと判断した場合には、ＣＰＩＣＨ１信号のベクトルＶ１と位相を回転させたベクトルＶ３との合成ベクトルＶ４におけるＳＮＲを求め、ＦＢＩビット＃４０１ａにて基地局装置９００へ通知した回転量が正しく伝わらなかったと判断した場合には、ＣＰＩＣＨ１信号のベクトルＶ１と位相を回転させたベクトルＶ１０との合成ベクトルＶ１１におけるＳＮＲを求め、求めたＳＮＲを用いてＣＱＩ選択用情報を参照してＣＱＩを選択する。なお、図４のタイミングでは、ＦＢＩビット＃４０１ａがＨＳ−ＰＤＳＣＨに反映されるタイミングは、スロット＃４０６であるため、スロット＃４０６における合成ベクトルがＶ４またはＶ１１で示されることになる。
【０１１５】
次に、ＦＢＩビット＃４０１ａを受信した基地局装置９００は、ＣＰＩＣＨ１信号及びＣＰＩＣＨ２信号の位相を回転させずにＣＰＩＣＨ１信号をダイバーシチアンテナ１１０−１から送信するとともに、ＣＰＩＣＨ２信号をダイバーシチアンテナ１１０−２から送信し、ＤＬ  ＨＳ−ＰＤＳＣＨのパケットデータを位相を回転させずにダイバーシチアンテナ１１０−１から送信するとともに、ＤＬ  ＨＳ−ＰＤＳＣＨのパケットデータをＦＢＩビット＃４０１ａにて通知された位相回転量にて位相を回転させてダイバーシチアンテナ１１０−２から送信する。
【０１１６】
また、ＣＱＩを受信した基地局装置９００は、送信レート決定部１０６にて移動機１０００から報告されたＣＱＩに基づいて送信レートを決定する。例えば、送信レート決定部１０６は、図６に示すような送信レート選択用情報を保存したテーブルを記憶しており、移動機１０００よりＣＱＩ＝１６が報告された場合には、ＣＱＩ＝１６を用いて送信レート選択用情報を参照することにより変調方式として１６ＱＡＭを選択する。そして、基地局装置９００は、送信パケット生成部１０７にて選択した変調方式にて送信パケットデータを変調して、ダイバーシチアンテナ１１０−１、１１０−２より送信する。
【０１１７】
このように、本実施の形態３によれば、移動機にてＦＢＩビットが誤っているか否かを検出して、ＦＢＩビットが誤っているものと判定した場合には、選択するＣＱＩを変更して変更後のＣＱＩを基地局装置へ報告するので、精度の良いＣＱＩを用いて送信レートを設定することにより、パケットデータの誤り率を低減することができるとともに再送回数を低減して回線の利用効率を向上させることができる。
【０１１８】
（実施の形態４）
図１１は、本発明の実施の形態４に係る基地局装置１１００の構成を示すブロック図である。
【０１１９】
本実施の形態４に係る基地局装置１１００は、図１に示す実施の形態１に係る基地局装置１００において、図１１に示すように、ＦＢＩビット誤り率情報抽出部１０４を除き、差分情報抽出部１１０１を追加し、送信レート決定部１０６の代わりに送信レート決定部１１０２を有する。なお、図１１においては、図１と同一構成である部分には同一の符号を付してその説明は省略する。
【０１２０】
受信部１０１は、受信信号を無線周波数からベースバンド周波数にダウンコンバートしてＦＢＩビット抽出部１０２、差分情報抽出部１１０１及びＣＱＩ抽出部１０５へ出力する。
【０１２１】
ＣＱＩ抽出部１０５は、受信部１０１から入力した受信信号よりＣＱＩを抽出して送信レート決定部１１０２へ出力する。
【０１２２】
差分情報抽出部１１０１は、受信部１０１から入力した受信信号から後述する差分情報を抽出して送信レート決定部１１０２へ出力する。
【０１２３】
送信レート決定部１１０２は、差分情報抽出部１１０１から入力した差分情報及びＣＱＩ抽出部１０５から入力したＣＱＩに基づいて送信レートを決定する。そして、送信レート決定部１１０２は、決定した送信レートの情報である送信レート情報を送信パケット生成部１０７へ出力する。
【０１２４】
送信パケット生成部１０７は、送信レート決定部１１０２から入力した送信レート情報の送信レートにて送信されるように送信パケットデータを生成して送信部１０９へ出力する。
【０１２５】
次に、移動機１２００の構成について、図１２を用いて説明する。図１２は、移動機１２００の構成を示すブロック図である。
【０１２６】
本実施の形態４に係る移動機１２００は、図２に示す実施の形態１に係る移動機２００において、図１２に示すように、ＦＢＩビット誤り率推定部２１１及びＦＢＩビット誤り報告部２１２を除き、ＦＢＩビット誤り検出部１２０１、第１統計分布取得部１２０３、第２統計分布取得部１２０４及び差分報告部１２０５を追加し、ＣＱＩ値選択部２０６の代わりにＣＱＩ値選択部１２０２を有する。なお、図１２においては、図２と同一構成である部分には同一の符号を付してその説明は省略する。
【０１２７】
信号電力雑音電力測定部２０５は、既知信号復調部２０２から入力したＣＰＩＣＨ１信号及びＣＰＩＣＨ２信号における各々の信号電力と雑音電力を測定して、ＣＱＩ値選択部１２０２へ出力する。
【０１２８】
アンテナ回転位相推定部２１０は、チャネル推定値算出部２０３から入力したチャネル推定値情報及びチャネル推定値算出部２０９から入力したチャネル推定値情報よりＣＰＩＣＨ２信号のベクトルを求めて受信したＣＰＩＣＨ２信号の位相を求めるとともに、ＤＬ−ＤＰＣＨに含まれるパイロットビットからＤＬ−ＤＰＣＨのベクトルを求めて受信したＤＬ−ＤＰＣＨの位相を求める。そして、アンテナ回転位相推定部２１０は、求めたＣＰＩＣＨ２信号の位相回転量とＤＬ−ＤＰＣＨの位相回転量との差より実際に基地局装置にて回転された位相回転量を求めて、求めた位相回転量の情報である位相回転量情報をＦＢＩビット誤り検出部１２０１及び同期検波部２１４へ出力する。
【０１２９】
ＦＢＩビット誤り検出部１２０１は、アンテナ回転位相推定部２１０から入力した位相回転量情報及びＦＢＩビット生成部２０４から入力したＦＢＩビットより、アンテナ回転位相推定部２１０から入力した位相回転量情報の位相回転量が以前基地局装置に送信したＦＢＩビットが反映された場合に加わる回転量であるか否かを判定して、アンテナ回転位相推定部２１０から入力した位相回転量情報の位相回転量が以前基地局装置に送信したＦＢＩビットが反映された場合に加わる回転量ではない場合には、ＦＢＩビットに誤りがあったことをＣＱＩ値選択部１２０２へ通知する。
【０１３０】
ＣＱＩ値選択部１２０２は、信号電力雑音電力測定部２０５から入力した信号電力の情報、雑音電力の情報及びＦＢＩビット生成部２０４から入力したＦＢＩビットに基づいてＣＱＩを選択し、選択した伝搬路環境を報告する報告値であるＣＱＩを第１統計分布取得部１２０３及びＣＱＩ値報告部２０７へ出力する。また、ＣＱＩ値選択部１２０２は、信号電力雑音電力測定部２０５から入力した信号電力の情報、雑音電力の情報、ＦＢＩビット生成部２０４から入力したＦＢＩビット、及びＦＢＩビット誤り検出部１２０１からＦＢＩビットに誤りがある旨の通知が入力した場合にはＦＢＩビットに誤りがある旨の通知に基づいてＣＱＩを選択し、報告値を補正した補正報告値であるＣＱＩをＣＱＩ値報告部２０７及び第２統計分布取得部１２０４へ出力する。なお、ＣＱＩを選択する方法については後述する。
【０１３１】
第１統計分布取得部１２０３は、ＦＢＩビット誤り検出部１２０１からのＦＢＩビットが誤っている旨の通知を考慮せずに選択したＣＱＩ、即ち基地局装置に報告したＣＱＩを記憶し、記憶したＣＱＩの統計分布を求める。そして、第１統計分布取得部１２０３は、求めた統計分布の情報である統計分布情報を差分報告部１２０５へ出力する。
【０１３２】
第２統計分布取得部１２０４は、ＦＢＩビット誤り検出部１２０１からのＦＢＩビットが誤っている旨の通知を考慮して選択したＣＱＩを記憶し、記憶したＣＱＩの統計分布を求める。そして、第２統計分布取得部１２０４は、求めた統計分布の情報である統計分布情報を差分報告部１２０５へ出力する。
【０１３３】
差分報告部１２０５は、第１統計分布取得部１２０３から入力した統計分布の中央値と第２統計分布取得部１２０４から入力した統計分布の中央値との差分を求めて、求めた差分の情報である差分情報を送信部２１３へ出力する。
【０１３４】
送信部２１３は、ＣＱＩ値報告部２０７から入力したＣＱＩを含む送信信号をベースバンド周波数から無線周波数にアップコンバートして図示しないアンテナより送信する。また、送信部２１３は、ＦＢＩビット生成部２０４から入力したＦＢＩビットを含む送信信号をベースバンド周波数から無線周波数にアップコンバートして図示しないアンテナより送信する。また、送信部２１３は、差分報告部１２０５から入力した差分情報を含む送信信号をベースバンド周波数から無線周波数にアップコンバートして図示しないアンテナより送信する。
【０１３５】
次に、基地局装置１１００及び移動局１２００の動作について説明する。最初に、基地局装置１１００は、既知信号生成部１０８にて生成したＣＰＩＣＨ１信号をダイバーシチアンテナ１１０−１より送信するとともにＣＰＩＣＨ２信号をダイバーシチアンテナ１１０−２より送信する。この時、ＣＰＩＣＨ１信号及びＣＰＩＣＨ２信号は、いずれも位相を回転させずに送信される。また、基地局装置１１００は、送信パケット生成部１０７にて生成したＤＬ  ＨＳ−ＰＤＳＣＨの送信パケットデータを位相を回転させずに固定の位相にてダイバーシチアンテナ１１０−１より送信するとともに、ＦＢＩビットにて移動機２００より指示された回転量にて位相を回転してダイバーシチアンテナ１１０−２より送信する。なお、移動機１２００からＦＢＩビットが通知されていない初期の段階においては、あらかじめ基地局装置１１００に設定されているＦＢＩビットの初期値にて位相を回転させてダイバーシチアンテナ１１０−２より送信する。
【０１３６】
次に、ＣＰＩＣＨ１信号及びＣＰＩＣＨ２信号を受信した移動機１２００は、チャネル推定値算出部２０３にてＣＰＩＣＨ１信号及びＣＰＩＣＨ２信号のチャネル推定値を求め、求めたチャネル推定値よりＦＢＩビット生成部２０４にて位相回転量を求め、求めた位相回転量より決定したＦＢＩビット＃４０１ａを基地局装置１１００に通知する。例えば、ＦＢＩビット生成部２０４は、ＣＰＩＣＨ１信号及びＣＰＩＣＨ２信号のチャネル推定値より、ＣＰＩＣＨ１信号のベクトルＶ１及びＣＰＩＣＨ２信号のベクトルＶ２が図１４の関係にあることを求めた場合において、最大の合成ベクトルＶ４が得られるベクトルＶ１と合成するベクトルＶ３を求め、ＣＰＩＣＨ２信号のベクトルＶ２をベクトルＶ３まで回転させるための位相回転量をＦＢＩビット＃４０１ａとして生成して基地局装置１１００に通知する。
【０１３７】
また、ＣＰＩＣＨ１信号及びＣＰＩＣＨ２信号を受信した移動機１２００は、ＣＰＩＣＨ１信号及びＣＰＩＣＨ２信号より信号電力雑音電力測定部２０５にて各々の信号電力及び雑音電力を求め、求めた信号電力及び雑音電力よりＳＮＲを求めて基地局装置１１００に報告したＦＢＩビット＃４０１ａ及びＦＢＩビット＃４０１ａに誤りが生じている旨の情報に基づいて、ＣＱＩ値選択部１２０２にてＣＱＩを選択して基地局装置１１００へ報告する。例えば、ＣＱＩ値選択部１２０２は、図５に示すようなＳＮＲとＣＱＩとを関係付けたＣＱＩ選択用情報を記憶しており、信号電力雑音電力測定部２０５にて求めたＣＰＩＣＨ１信号及びＣＰＩＣＨ２信号の信号電力及び雑音電力より、ＣＰＩＣＨ１信号のベクトルＶ１とＣＰＩＣＨ２信号をＦＢＩビットにて基地局装置１１００へ通知した回転量だけ位相を回転させたベクトルＶ３との合成ベクトルＶ４におけるＳＮＲを求めて、求めた合成ベクトルＶ４におけるＳＮＲを用いてＣＱＩ選択用情報を参照してＣＱＩを選択する。なお、図４においては、ＦＢＩビット＃４０１ａがＨＳ−ＰＤＳＣＨに反映されるタイミングは、スロット＃４０５であるため、スロット＃４０５の合成ベクトルがＶ４またはＶ１１で示されることになる。
【０１３８】
次に、移動機１２００は、ＦＢＩビット＃４０１ａが誤っていない場合には合成ベクトルＶ４におけるＳＮＲを用いて選択したＣＱＩを第１統計分布取得部１２０３及び第２統計分布取得部１２０４にて記憶し、ＦＢＩビット＃４０１ａが誤っている場合には合成ベクトルＶ４におけるＳＮＲを用いて選択したＣＱＩを第１統計分布取得部１２０３にて記憶するとともに、位相回転量が誤って伝わった場合に回転されるベクトルＶ１０との合成ベクトルＶ１１におけるＳＮＲを求めて、求めたＳＮＲより選択したＣＱＩを第２統計分布取得部１２０４にて記憶する。そして、移動機１２００は、差分報告部１２０５において第１統計分布取得部１２０３にて求めた統計分布の中央値と第２統計分布取得部１２０４にて求めた統計分布の中央値との差分を求める。例えば、第１統計分布取得部１２０３にて求めた統計分布＃１３０１及び第２統計分布取得部１２０４にて求めた統計分布＃１３０２は、図１３のようになる。図１３は第１統計分布取得部１２０３及び第２統計分布取得部１２０４にて求められた統計分布を示す図である。図１３より、移動機１２００は、差分報告部１２０５にて統計分布＃１３０１の中央値＃１３０３と統計分布＃１３０２の中央値＃１３０４との差分を求めて、求めた差分情報を基地局装置１１００へ送信する。また、移動機１２００は、合成ベクトルＶ４におけるＳＮＲを用いて選択したＣＱＩ、即ち第１統計分布取得部１２０３に記憶するＣＱＩを基地局装置１１００へ報告する。
【０１３９】
次に、差分情報を受信した基地局装置１１００は、送信レート決定部１１０２にて移動機１２００から報告されたＣＱＩと差分情報とに基づいて送信レートを決定する。例えば、送信レート決定部１１０２は、図６に示すような送信レート選択用情報を保存したテーブルを記憶しており、移動機１２００よりＣＱＩ＝１６が報告された場合には、ＣＱＩ＝１６を用いて送信レート選択用情報を参照することにより変調方式を選択する。この時、差分情報の差分がしきい値以上の場合には、送信レート決定部１１０２は、ＣＱＩのレベルを１ランク下げてＣＱＩ＝１５を用いて送信レート選択用情報を参照することにより変調方式としてＱＰＳＫを選択する。また、差分情報の誤り率がしきい値未満の場合には、送信レート決定部１１０２は、ＣＱＩのレベルを変更せずにＣＱＩ＝１６を用いて送信レート選択用情報を参照することにより変調方式としてＱＰＳＫを選択する。そして、基地局装置１１００は、送信パケット生成部１０７にて選択した変調方式にて送信パケットデータを変調して、ダイバーシチアンテナ１１０−１、１１０−２より送信する。
【０１４０】
このように、本実施の形態４によれば、移動機から通知された差分情報とＣＱＩとに基づいて送信レートを選択するので、精度の良い伝搬路環境の情報を用いて送信レートを設定することにより、パケットデータの誤り率を低減することができるとともに再送回数を低減して回線の利用効率を向上させることができる。また、本実施の形態４によれば、統計分布に基づいて送信レートを決定するので、一時的に位相回転量の誤差が大きくなった場合でかつ低い送信レートにする必要がない場合において、必要以上に低い送信レートを決定してしまうことを防ぐことができる。
【０１４１】
なお、本実施の形態４において、移動機にてＣＱＩの統計分布を作成して差分情報を移動機から基地局装置へ送信することとしたが、これに限らず、基地局装置に第１統計分布取得部１２０３及び第２統計分布取得部１２０４を設けて、基地局装置にて差分情報を生成して送信レートを決定するようにしても良い。また、本実施の形態４において、移動機より基地局装置へ差分情報を送信することとしたが、これに限らず、差分が所定のしきい値以上である場合にのみ差分情報を送信するようにしても良い。
【０１４２】
上記実施の形態１〜実施の形態４において、送信レートとして変調方式のみを決定するようにしたが、これに限らず、変調方式及び符号化率を送信レートとして決定しても良い。また、上記実施の形態１〜実施の形態４において、２本のダイバーシチアンテナ１１０−１、１１０−２から送信することとしたが、これに限らず、３本以上のダイバーシチアンテナから送信する場合にも適用可能である。また、上記実施の形態１〜実施の形態４において、伝搬路環境情報としてＣＱＩを用いることとしたが、これに限らず、送信電力等の伝搬路環境を示す任意の情報を用いることが可能である。
【産業上の利用可能性】
【０１４３】
本発明にかかる基地局装置及び端末装置は、正しい伝搬路環境の報告値を用いて送信レートを設定することにより、パケットデータの誤り率を低減することができるとともに回線の利用効率を向上させる効果を有し、送信レートを設定するのに有用である。
【図面の簡単な説明】
【０１４４】
【図１】本発明の実施の形態１に係る基地局装置の構成を示すブロック図
【図２】本発明の実施の形態１に係る移動機の構成を示すブロック図
【図３】本発明の実施の形態１に係る送信レート決定部の構成を示すブロック図
【図４】本発明の実施の形態１に係る送信信号のタイミングを示す図
【図５】本発明の実施の形態１に係るＣＱＩ選択用情報を示す図
【図６】本発明の実施の形態１に係る送信レート選択用情報を示す図
【図７】本発明の実施の形態２に係る基地局装置の構成を示すブロック図
【図８】本発明の実施の形態２に係る移動機の構成を示すブロック図
【図９】本発明の実施の形態３に係る基地局装置の構成を示すブロック図
【図１０】本発明の実施の形態３に係る移動機の構成を示すブロック図
【図１１】本発明の実施の形態４に係る基地局装置の構成を示すブロック図
【図１２】本発明の実施の形態４に係る移動機の構成を示すブロック図
【図１３】本発明の実施の形態４に係るＣＱＩの統計分布を示す図
【図１４】各信号のベクトルを示す図
【図１５】ＣＱＩとＢＬＥＲとの関係を示す図
【符号の説明】
【０１４５】
１００  基地局装置
１０１  受信部
１０２  ＦＢＩビット抽出部
１０３  アンテナ位相決定部
１０４  ＦＢＩビット誤り率情報抽出部
１０５  ＣＱＩ抽出部
１０６  送信レート決定部
１０７  送信パケット生成部
１０８  既知信号生成部
１０９  送信部
１１０−１、１１０−２  ダイバーシチアンテナ
【図１】
2005260634.tif 000003
【図２】
2005260634.tif 000004
【図３】
2005260634.tif 000005
【図４】
2005260634.tif 000006
【図５】
2005260634.tif 000007
【図６】
2005260634.tif 000008
【図７】
2005260634.tif 000009
【図８】
2005260634.tif 000010
【図９】
2005260634.tif 000011
【図１０】
2005260634.tif 000012
【図１１】
2005260634.tif 000013
【図１２】
2005260634.tif 000014
【図１３】
2005260634.tif 000015
【図１４】
2005260634.tif 000016
【図１５】
2005260634.tif 000017